【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
スリーブ状の側壁を含む本体と、
前記本体に結合された底面であって、前記スリーブ状の側壁と前記底面とによって囲まれた内部領域を画成する底面と
を含む断熱性カップであって、
前記本体が、前記本体の少なくとも１つの選択した領域において局所的な塑性変形を可能にする手段を提供するように構成された断熱気泡質の非芳香族ポリマー材料を含むシートを含み、
前記断熱気泡質の非芳香族ポリマー材料を破損させずに、前記本体の前記選択された領域の第１の部分に位置する、第１の密度を有する、塑性的に変形された第１の材料セグメントと、
前記本体の前記選択された領域の隣接する第２の部分に位置する、前記第１の密度を下回る第２の密度を有する第２の材料セグメントとを提供するため、
前記本体に、予め定められた断熱性が維持される、断熱性カップ。
【請求項２】
前記断熱気泡質の非芳香族ポリマー材料によって局所的な塑性変形が可能にされる、前記本体の前記選択された領域の第１の領域が、前記スリーブ状の側壁にあり、
および前記スリーブ状の側壁が、前記底面から上方に延在するように配置されかつ前記本体の前記選択された領域の前記第１の領域に前記第１の密度を有する前記第１の材料セグメントを提供するように構成されている直立内側タブと、
前記底面から上方に延在しかつ前記直立内側タブと間にある境界面に沿って接するように配置された直立外側タブと、
前記直立内側タブと外側タブを相互接続して前記内部領域を囲むように配置されかつ前記本体の前記選択された領域の前記第１の領域に前記第２の密度を有する前記第２の材料セグメントを提供しかつ前記直立内側および外側タブと協働して前記スリーブ状の側壁を形成するように構成された直立囲いとを含む、請求項１に記載の断熱性カップ。
【請求項３】
前記断熱気泡質の非芳香族ポリマー材料によって局所的な塑性変形が可能にされる、前記本体の前記選択された領域の第２の領域が、前記本体に含まれるロール状の縁にあり、
前記ロール状の縁は、前記スリーブ状の側壁の上端と結合して、前記底面に対して離間しており、かつ前記内部領域への開口部の縁を形作り、
および前記ロール状の縁は、前記本体の前記選択された領域の前記第２の領域に前記第１の材料セグメントを提供するように構成されかつ前記スリーブ状の側壁に含まれる前記直立外側タブの上端に結合されたロール状の内側タブと、
前記スリーブ状の側壁に含まれる前記直立内側タブの上端および前記ロール状の内側タブの外向きの外面に結合されたロール状の外側タブと、
前記ロール状の内側および外側タブの各々の向かい合う側縁部を相互接続するように配置されかつ前記本体の前記選択された領域の前記第２の領域に前記第２の密度を有する前記第２の材料セグメントを提供しかつ前記ロール状の内側および外側タブと協働して前記ロール状の縁を形成するように構成されたロール状のリップ部とを含み、
そして、必要に応じて、前記断熱気泡質の非芳香族ポリマー材料によって局所的な塑性変形が可能にされる、前記本体の前記選択された領域の第３の領域が、前記本体に含まれる底面マウントにあり、前記底面マウントは、前記ロール状の縁に対して離間するように前記スリーブ状の側壁の下端と、前記底面を前記スリーブ状の側壁に対して静止位置に支持するように前記底面とに結合されて、前記内部領域を形成し、および前記底面マウントは、前記スリーブ状の側壁の前記下端に結合されかつ前記本体の前記選択された領域の前記第３の領域に前記第２の密度を有する前記第２の材料セグメントを提供するように構成されたウェブ支持リングと、前記底面に結合されかつ前記ウェブ支持リングによって囲まれるように配置された底面保持フランジと、前記底面保持フランジと前記ウェブ支持リングを相互接続するように配置されかつ前記本体の前記選択された領域の前記第３の領域に前記第１の密度を有する前記第１の材料セグメントを提供するように構成されたウェブとを含み、さらに、必要に応じて、前記断熱気泡質の非芳香族ポリマー材料によって局所的な塑性変形が可能にされる、前記本体の前記選択された領域の第４の領域が、前記底面マウントの前記底面保持フランジにあり、前記底面保持フランジは、左右に隣り合って配置されて前記ウェブから前記スリーブ状の側壁と前記底面とで囲まれる前記内部領域の方へ上方に延在する一連の交互に厚いおよび薄い直立ステーブを含み、前記厚い直立ステーブの第１の厚い直立ステーブが、前記ウェブから前記内部領域の方へ上方に延在する右側縁部を含むように構成され、前記厚い直立ステーブの第２の厚い直立ステーブが、前記ウェブから前記内部領域の方へ上方に延在しかつ前記厚い直立ステーブの前記第１の厚い直立ステーブの前記右側縁部と離間して向かい合うように配置された左側縁部を含むように構成され、および前記薄い直立ステーブの第１の薄い直立ステーブが、前記厚い直立ステーブの前記第１の厚い直立ステーブの前記左側縁部と前記厚い直立ステーブの前記第２の厚い直立ステーブの前記右側縁部を相互接続しかつ前記左および右側縁部と協働してそれらの間に垂直チャネルを画成するように配置され、前記薄い直立ステーブの前記第１の薄い直立ステーブが、前記本体の前記選択された領域の前記第４の領域に前記第１の材料セグメントを提供するように構成され、および前記厚い直立ステーブの前記第１の厚い直立ステーブが、前記本体の前記選択された領域の前記第４の領域に前記第２の材料セグメントを提供するように構成され、またさらに、必要に応じて、（ａ）前記薄い直立ステーブの前記第１の薄い直立ステーブが、前記厚い直立ステーブの前記第１および第２の厚い直立ステーブに対して配置されて、前記垂直チャネルを、内側に、前記底面保持フランジと、前記底面に含まれかつ前記底面保持フランジの上方に配置された水平台とで囲まれた下部内部領域に開口させ、又は、（ｂ）前記薄い直立ステーブの前記第１の薄い直立ステーブが、前記厚い直立ステーブの前記第１および第２の厚い直立ステーブに対して配置されて、前記垂直チャネルを、前記ウェブ支持リングの方向へ外側に開口させる、請求項２に記載の断熱性カップ。
【請求項４】
（ｉ）前記直立内側タブが、前記内部領域の一部分と境界を接する内表面と、前記直立外側タブの方に面する外表面とを含み、前記直立外側タブが、前記内部領域の方に向きかつ前記直立内側タブの前記外表面と接して前記直立内側タブと直立外側タブとの間に前記境界面を画成する内表面を含み、および前記直立外側タブが、さらに、前記直立内側タブから見て外方に面する外層面を含み、
そして、必要に応じて、前記直立内側および外側タブの前記内表面および外表面の各々が、水平断面において弓形形状を有し、かつ２０°未満の鋭角に相対し、又は、
（ｉｉ）前記直立囲いが水平断面においてＣ字形状であり、および前記直立内側タブおよび直立外側タブの各々が水平断面において弓形形状を有し、又は、
（ｉｉｉ）前記直立囲いが、直立左側縁部と、前記直立左側縁部に離間して向かい合うように配置された直立右側縁部とを含み、および前記直立外側タブが、前記第１の密度を有しかつ前記直立内側タブと接してブリッジを確立するように構成され、前記ブリッジは、前記直立囲いの前記直立左側縁部と右側縁部を相互接続するように配置され、かつ前記第１の密度を有する塑性的に変形した材料で形成され、そして、必要に応じて、前記直立囲いが、前記内部領域の一部分と境界を接する内表面と、前記内部領域から見て外方に向きかつ前記直立囲いの前記内表面を囲んで前記直立囲いの前記内表面と協働してそれらの間に第１の厚さを規定する外表面とを有し、前記直立内側タブが、前記内部領域の一部分と境界を接する内表面と、前記直立外側タブの方に面する外表面とを含み、前記直立外側タブが、前記内部領域の方に向きかつ前記直立内側タブの前記外表面と接して前記直立内側タブと直立外側タブとの間に前記境界面を画成する内表面を含み、および前記直立外側タブが、さらに、前記直立内側タブから見て外方に面する外層面を含み、前記直立内側タブの前記内表面と外表面が協働して、それらの間に、前記第１の厚さのほぼ半分の第２の厚さを規定し、および前記直立外側タブの前記内表面と外表面が協働して、前記第１の厚さのほぼ半分の第３の厚さを規定する、請求項２に記載の断熱性カップ。
【請求項５】
前記本体が、さらに、前記断熱気泡質の非芳香族ポリマー材料を含むロール状の縁を含み、前記ロール状の縁が、前記スリーブ状の側壁の上端に結合されて、前記底面に対して離間しており、かつ前記内部領域への開口部の縁を形作り、および前記ロール状の縁が、前記第１の密度を有する前記塑性的に変形された第１の材料セグメントを提供しかつ向かい合う左側縁部および右側縁部を含むように構成されたロール状の内側タブと、前記ロール状の内側タブの前記向かい合う左側縁部と右側縁部を相互接続するように配置されかつ前記第２の密度を有する前記第２の材料セグメントを提供するように構成されたロール状のリップ部とを含む、請求項１に記載の断熱性カップ。
【請求項６】
前記ロール状の縁が、さらに、前記ロール状の内側タブの外向きの面に結合されたロール状の外側タブを含み、前記ロール状の外側タブは、前記ロール状の内側タブを覆いかつ前記第１の密度を有する塑性的に変形した材料で形成された外殻を提供する
そして、必要に応じて、前記ロール状の外側タブが、向かい合う左側縁部および右側縁部を含み、および前記ロール状のリップ部が、前記ロール状の外側タブの前記向かい合う左側縁部と右側縁部を相互接続するように配置され、さらに、必要に応じて、前記ロール状のリップ部が水平断面においてＣ字形状であり、および前記ロール状の内側および外側タブの各々が、それらの前記向かい合う左側縁部と右側縁部との間に弓形形状を有して、円環形の前記ロール状の縁を提供する、請求項５に記載の断熱性カップ。
【請求項７】
（ｉ）前記本体が、さらに、前記断熱気泡質の非芳香族ポリマー材料を含むスリーブ状の側壁を含み、および前記スリーブ状の側壁が、前記底面から上方に延在するように配置されかつ前記第１の密度を有する前記塑性的に変形された第１の材料セグメントを提供するように構成された直立内側タブと、前記底面から上方に延在しかつ前記直立内側タブと間にある境界面に沿って接するように配置された直立外側タブと、前記直立内側タブと外側タブを相互接続して前記内部領域を囲むように配置されかつ前記第２の密度を有する前記第２の材料セグメントを提供するように構成された直立囲いとを含むか、又は、
（ｉｉ）前記本体が、さらに、前記断熱気泡質の非芳香族ポリマー材料を含む底面マウントを含み、および前記底面マウントが、前記スリーブ状の側壁の下端に結合されかつ前記第２の密度を有する前記第２の材料セグメントを提供するように構成されたウェブ支持リングと、前記底面に結合されかつ前記ウェブ支持リングによって囲まれるように配置された底面保持フランジと、前記底面保持フランジと前記ウェブ支持リングを相互接続するように配置されかつ前記第１の密度を有する前記塑性的に変形された第１の材料セグメントを提供するように構成されたウェブとを含むか、又は、
（ｉｉｉ）前記本体が、さらに、前記断熱気泡質の非芳香族ポリマー材料を含む底面保持フランジを含み、および前記底面保持フランジが、前記底面に結合され、かつ左右に隣り合って配置されて前記スリーブ状の側壁と前記底面とによって囲まれた前記内部領域の方へ上方に延在する一連の交互に厚いおよび薄い直立ステーブを含むように形成され、前記厚い直立ステーブの第１の厚い直立ステーブが、前記内部領域の方へ上方に延在する右側縁部を含むように構成され、前記厚い直立ステーブの第２の厚い直立ステーブが、前記内部領域の方へ上方に延在しかつ前記厚い直立ステーブの前記第１の厚い直立ステーブの前記右側縁部から離間して向かい合うように左側縁部を含むように構成され、および前記薄い直立ステーブの第１の薄い直立ステーブが、前記左側縁部と右側縁部を相互接続してそれらの間に垂直チャネルを画成するように配置され、前記薄い直立ステーブの前記第１の薄い直立ステーブが、前記塑性的に変形された第１の材料セグメントを提供するように構成され、および前記厚い直立ステーブの前記第１の厚い直立ステーブが、前記第２の材料セグメントを提供するように構成されている、請求項５に記載の断熱性カップ。
【請求項８】
前記本体が、さらに、前記断熱気泡質の非芳香族ポリマー材料を含む環状のロール状の縁を含み、前記環状のロール状の縁が、前記スリーブ状の側壁の環状の上端に結合されて前記底面に対して離間しており、かつ前記内部領域への開口部の縁を形作り、前記環状のロール状の縁が、前記第１の密度を有する前記塑性的に変形された第１の材料セグメントを提供しかつ向かい合う左および右側縁部を含むように構成されたロール状のタブを含み、および前記環状のロール状の縁が、さらに、前記スリーブ状の側壁の前記環状の上端に結合されかつ前記ロール状のタブの前記向かい合う左側縁部と右側縁部を相互接続するように配置されかつ前記第２の密度を有する前記第２の材料セグメントを提供するように構成されたロール状のリップ部を含む、請求項１に記載の断熱性カップ。
【請求項９】
前記本体が、さらに、前記断熱気泡質の非芳香族ポリマー材料を含む底面マウントを含み、前記底面マウントが、前記スリーブ状の側壁の下端および前記底面に結合されて、前記底面を前記スリーブ状の側壁に対して静止位置に支持して前記内部領域を形成し、および前記底面マウントが、前記底面に結合された底面保持フランジと、前記スリーブ状の側壁の前記下端に結合されかつ前記底面保持フランジを囲むように配置されたウェブ支持リングと、前記底面保持フランジと前記ウェブ支持リングを相互接続するように配置されかつ前記第１の密度を有する前記塑性的に変形された第１の材料セグメントを提供するように構成されたウェブとを含み、および前記ウェブ支持リングが、前記第２の密度を有する前記第２の材料セグメントを提供するように構成されている、請求項１に記載の断熱性カップ。
【請求項１０】
（ｉ）前記ウェブおよび前記ウェブ支持リングの各々が円環形を有し、そして、必要に応じて、前記底面保持フランジが円環形を有するか、又は、
（ｉｉ）前記底面保持フランジ、前記ウェブ、および前記ウェブ支持リングの各々が、前記底面と接する内面を有する内側層と、前記内側層の外面と接する、重なり合う外側層とを含むか、又は、
（ｉｉｉ）前記底面が、前記内部領域の一部分と境界を接する水平台と、前記水平台に結合されかつ前記内部領域から離れて前記底面保持フランジと前記ウェブ支持リングとの間に設けられた空間の方へ下方に延在して前記底面保持フランジおよび前記ウェブ支持リングの各々と接するように配置された台支持部材とを含み、そして、必要に応じて、
（ａ）前記台支持部材が円環形を有し、かつ前記底面保持フランジを囲んで、前記水平台と前記ウェブとの間に設けられた環状空間に位置するように配置され、
（ｂ）前記底面保持フランジ、前記ウェブ、および前記ウェブ支持リングの各々が、前記底面と接する内面を有する内側層と、前記内側層の外面と接する、重なり合う外側層とを含み、および前記底面保持フランジ、前記ウェブ、および前記ウェブ支持リングの各々の前記内側層が、前記台支持部材と接するように配置されるか、又は、
（ｉｖ）前記本体が、さらに、前記断熱気泡質の非芳香族ポリマー材料を含むスリーブ状の側壁を含み、および前記スリーブ状の側壁が、前記底面から上方に延在するように配置されかつ前記第１の密度を有する前記塑性的に変形された第１の材料セグメントを提供するように構成された直立内側タブと、前記底面から上方に延在するように配置されかつ前記直立内側タブと間にある境界面に沿って接する直立外側タブと、前記直立内側タブと外側タブを相互接続しかつ前記内部領域を囲むように配置されかつ前記第２の密度を有する前記第２の材料セグメントを提供するように構成された直立囲いとを含むか、又は、
（ｖ）前記本体が、さらに、前記断熱気泡質の非芳香族ポリマー材料を含む底面保持フランジを含み、および前記底面保持フランジは、前記底面に結合され、かつ左右に隣り合って配置されて前記スリーブ状の側壁と前記底面とで囲まれた前記内部領域の方へ上方に延在する一連の交互に厚いおよび薄い直立ステーブを含むように形成され、前記厚い直立ステーブの第１の厚い直立ステーブが、前記内部領域の方へ上方に延在する右側縁部を含むように構成され、前記厚い直立ステーブの第２の厚い直立ステーブが、前記内部領域の方へ上方に延在しかつ前記厚い直立ステーブの前記第１の厚い直立ステーブの前記右側縁部に離間して向かい合うように位置する左側縁部を含むように構成され、および前記薄い直立ステーブの第１の薄い直立ステーブが、前記左側縁部と右側縁部を相互接続してそれらの間に垂直チャネルを画成するように配置され、前記薄い直立ステーブの前記第１の薄い直立ステーブが、前記塑性的に変形された第１の材料セグメントを提供するように構成され、および前記厚い直立ステーブの前記第１の厚い直立ステーブが、前記第２の材料セグメントを提供するように構成されている、請求項９に記載の断熱性カップ。
【請求項１１】
前記本体が、さらに、前記スリーブ状の側壁に対して静止位置に配置されかつ前記底面に結合されて前記底面を前記スリーブ状の側壁に対して静止位置に保持する底面保持フランジを含み、前記底面が、前記スリーブ状の側壁の内表面と接する外周縁部を有する水平台と、前記内部領域の一部分と境界を接する上向きの上面とを含み、および前記底面保持フランジが、互いに左右に隣り合って位置するように配置されて前記水平台の下向きの下面の方へ上方に延在する一連の交互に厚いおよび薄い直立ステーブを含み、前記厚い直立ステーブの第１の厚い直立ステーブが、前記水平台の前記下面の方へ上方に延在する右側縁部を含むように構成され、前記厚い直立ステーブの第２の厚い直立ステーブが、前記水平台の前記下面の方へ上方に延在するように配置されかつ前記厚い直立ステーブの前記第１の厚い直立ステーブの前記右側縁部に離間して向かい合うように位置する左側縁部を含むように構成され、および前記薄い直立ステーブの第１の薄い直立ステーブが、前記左側縁部と右側縁部を相互接続しかつ前記左および右側縁部と協働してそれらの間に垂直チャネルを画成するように配置され、前記薄いステーブの前記第１の薄いステーブが、前記第１の密度を有する前記第１の材料セグメントを提供するように構成され、および前記厚いステーブの前記第１の厚いステーブが、前記第２の密度を有する前記第２の材料セグメントを提供するように構成され、
そして、必要に応じて、
（ａ）前記薄い直立ステーブの前記第１の薄い直立ステーブが、前記厚い直立ステーブの前記第１および前記第２の厚い直立ステーブに対して配置されて、前記垂直チャネルを、内側に、前記水平台と前記底面保持フランジとで囲まれた下部内部領域に開口させるか、又は、
（ｂ）前記本体が、さらに、前記スリーブ状の側壁の下端に結合されかつ前記底面保持フランジを囲むように配置されたウェブ支持リングと、前記ウェブ支持リングと前記底面保持フランジを相互接続するように配置されたウェブとを含み、および前記薄い直立ステーブの前記第１の薄い直立ステーブが、前記厚い直立ステーブの前記第１および第２の厚い直立ステーブに対して配置されて、前記垂直チャネルを、前記ウェブ支持リングの方向に外側に開口させるか、又は、
（ｃ）前記底面保持フランジが円環形を有し、かつ前記水平台の中心点を通る垂直に延在する中心軸を囲むように配置され、および前記薄いステーブの前記第１の薄いステーブが、前記下部内部領域を通過する前記垂直に延在する中心軸の部分の方に面する内壁を有し、そして、必要に応じて、前記底面がさらに台支持部材を含み、前記台支持部材は、前記底面保持フランジを囲み、かつ前記水平台と協働して、下向きに開口する底面空洞部を形成するように配置され、前記空洞部に前記一連の交互に厚いおよび薄い直立ステーブを含むか、又は、
（ｄ）前記本体が、さらに、前記断熱気泡質の非芳香族ポリマー材料を含むスリーブ状の側壁を含み、および前記スリーブ状の側壁が、前記底面から上方に延在するように配置されかつ前記第１の密度を有する前記塑性的に変形された第１の材料セグメントを提供するように構成された直立内側タブと、前記底面から上方に延在しかつ前記直立内側タブと間にある境界面に沿って接するように配置された直立外側タブと、前記直立内側タブと外側タブを相互接続して前記内部領域を囲むように配置されかつ前記第２の密度を有する前記第２の材料セグメントを提供するように構成されている直立囲いとを含む、請求項１に記載の断熱性カップ。
【請求項１２】
（ｉ）断熱気泡質の非芳香族ポリマー材料の前記シートにある前記第１の材料セグメントが、比較的薄い第１の厚さを有し、および断熱気泡質の非芳香族ポリマー材料の前記シートにある前記第２の材料セグメントが、比較的厚い第２の厚さを有し、そして、必要に応じて、前記本体が、さらに、前記断熱気泡質の非芳香族ポリマー材料に接着された二軸延伸ポリプロピレンフィルムを含む気泡質の非芳香族スキンを含むか、又は、
（ｉｉ）前記本体が、さらに、前記断熱気泡質の非芳香族ポリマー材料の帯条片の外面に結合されかつフィルムと、前記フィルムと前記外面との間に挟まれた接着剤と、前記フィルムに印刷されてグラフィックデザインを提供するインクとを含むように構成されたグラフィックススキンを含み、そして、必要に応じて、前記フィルムが二軸延伸ポリプロピレンであるか、又は、
（ｉｉｉ）前記断熱気泡質の非芳香族ポリマー材料が、高溶融強度を有するポリプロピレンベースの樹脂、ポリプロピレンコポリマー樹脂、少なくとも１種の核生成剤、および密度を低下させるように前記樹脂を膨張させるガスによる手段を含み、そして、必要に応じて、（ａ）前記ガスによる手段が二酸化炭素を含むか、又は、（ｂ）前記ポリプロピレンベースの樹脂が、単峰型分布によって特徴付けられる分子量分布が広範なポリプロピレンを含むか、又は、（ｃ）前記ポリプロピレンベースの樹脂がさらにポリプロピレンホモポリマー樹脂を含む、請求項１に記載の断熱性カップ。
【請求項１３】
（ｉ）前記断熱気泡質の非芳香族ポリマー材料が、高溶融強度を有するポリプロピレンベースの樹脂と、ポリプロピレンホモポリマー樹脂と、少なくとも１種の核生成剤と、密度を低下させるように前記樹脂を膨張させるガスによる手段とを含み、そして、必要に応じて、（ａ）前記ガスによる手段が二酸化炭素を含むか、又は、（ｂ）前記ポリプロピレンベースの樹脂が、単峰型分布によって特徴付けられる分子量分布が広範なポリプロピレンを含むか、又は、
（ｉｉ）前記断熱気泡質の非芳香族ポリマー材料が、単峰型分布によって特徴付けられる分子量分布が広範なポリプロピレンを含むか、又は、
（ｉｉｉ）前記第１の密度が約０．３５０ｇ／ｃｍ3であり、および前記第２の密度が約０．１７５ｇ／ｃｍ3であるか、又は、
（ｉｖ）前記断熱気泡質の非芳香族ポリマー材料が、ガスで満たされた気泡を含むように形成され、および各気泡が、前記断熱気泡質の非芳香族ポリマー材料に設けられた気泡壁で囲まれ、かつ局所的な塑性変形にさらす間、非弾性的に変形可能であるように構成されているか、又は、
（ｖ）前記断熱気泡質の非芳香族ポリマー材料が、長鎖分岐によって特徴付けられる高溶融強度ポリプロピレンを含み、予め定められた加工性と高溶融弾性のバランスをとる、請求項１に記載の断熱性カップ。